(57)【要約】【課題】低温始動時にチョーク弁を確実に全閉状態にし得る構成を簡単に実現する。【解決手段】チョーク弁３の弁軸３ａに、チョークレバー５が固着され、ファーストアイドルレバー６が回動自在に設けられ、スロットル弁４の弁軸４ａにスロットルレバー７が固着されている。ファーストアイドルレバーには第１及び第２のカム面１１ａ・１１ｃが設けられ、スロットルレバー７にはカム摺動部としての係合片７ａが設けられている。ファーストアイドル運転時、第１のカム面によりスロットル弁を開弁し、第２のカム面ではスロットル弁の閉弁側にスロットルレバーを回動させ、チョーク弁の全閉状態でスロットルレバーのカム従動部が当接する。カム面とカム従動部との当接位置が無段階になり、当接位置がずれてもチョーク弁の全閉状態が変化せず、ファーストアイドル時のチョーク弁の全閉状態を簡単な構成で確保すると共に気化器の構造を低コストで達成し得る。【選択図】図３
2006077706.tif 000002
【特許請求の範囲】
【請求項１】
チョーク弁とスロットル弁とを有する気化器の始動装置において、
前記チョーク弁のチョーク弁軸には、チョークレバーが同軸的に固着されていると共に、前記チョーク弁の閉弁方向の回動に対して当該チョークレバーと当接し得るようにファーストアイドルレバーが同軸的に遊嵌され、
前記スロットル弁のスロットル弁軸にはスロットルレバーが同軸的に固着され、
前記ファーストアイドルレバーを前記チョーク弁の開弁方向に弾発付勢するチョーク弁開弁用ばねが設けられ、
前記ファーストアイドルレバーと前記スロットルレバーとの間に、前記チョーク弁の全開位置から全閉位置に至る閉弁動作に伴う前記ファーストアイドルレバーの回動運動により前記スロットルレバーを全閉位置から開弁させるカム手段を設けると共に、
前記カム手段が、少なくとも前記チョーク弁が全閉状態になった時に前記チョーク弁開弁用ばねによる前記ファーストアイドルレバーの前記チョーク弁の開弁側への回動を阻止するカムプロフィールを有することを特徴とする気化器の始動装置。
【請求項２】
前記カム手段が、前記スロットルレバーに設けられたカム従動部と、前記チョーク弁の全開位置側での閉弁方向への動作に伴う前記ファーストアイドルレバーの回動運動では前記スロットル弁を開弁させるべく前記カム従動部が摺接するように前記ファーストアイドルレバーに設けられた第１のカム面と、前記チョーク弁が全閉位置に達した状態では前記ファーストアイドルレバーの前記チョーク弁の開弁側への回動を阻止すると共に前記スロットル弁を開弁状態に保持するべく前記カム従動部が当接するように前記ファーストアイドルレバーに設けられた第２のカム面とからなることを特徴とする請求項１に記載の気化器の始動装置。
【請求項３】
前記カム従動部が、前記スロットルレバーに半径方向外向きに延出形成された係合片の延出端部からなり、
前記第１のカム面と前記第２のカム面とが、前記ファーストアイドルレバーに半径方向外向きに突出形成された三角形状の二辺からなることを特徴とする請求項２に記載の気化器の始動装置。
【発明の詳細な説明】
【技術分野】
【０００１】
本発明は、内燃機関における気化器の始動装置、特に気化器のチョーク弁の操作に連動するファーストアイドル機構に関するものである。
【背景技術】
【０００２】
従来、チョーク弁及びスロットル弁を有する内燃機関用気化器において、低温時に機関を始動する場合にはチョーク弁を全閉状態にすると共にスロットル弁をファーストアイドル位置まで開いている（例えば特許文献１・２参照。）。
【０００３】
上記構造の気化器の一例を図４に示す。図示例のものにあっては、気化器本体１には図の左右方向に貫通する吸気路２が設けられており、その上流側にチョーク弁３が配設され、下流側にスロットル弁４が配設されている。チョーク弁３を支持するチョーク弁軸３ａの一端が気化器本体１の側面の外方に突出しており、その外方突出端部にはチョークレバー５が固着されていると共にファーストアイドルレバー６が同軸的かつ回動自在に嵌装されている。また、スロットル弁４を支持するスロットル弁軸４ａの一端も気化器本体１の同じ側に突出しており、その突出端部にはスロットルレバー７が固着されている。
【０００４】
なお、チョークレバー５及びスロットルレバー７にはそれぞれ対応する各操作ワイヤーを結合するためのワイヤー結合孔５ｂ・７ｃが設けられている。各操作ワイヤーを引っ張ることにより、各戻しばねの弾発付勢力に抗して各レバー５・７を回動させることができるようになっている。
【０００５】
チョークレバー５にはその一部を半径方向外向きに延出しかつ軸線方向に折り曲げた曲折係合舌片５ａが設けられており、ファーストアイドルレバー６にも上記曲折係合片５ａと回動方向に当接し得るように同様に形成された曲折係合舌片６ａが設けられている。ファーストアイドルレバー６は、戻しばね８により図の矢印Ａに示される向きであるチョーク弁３の全開側に回動する向きに弾発付勢されている。その弾発付勢力によりファーストアイドルレバー６の曲折係合片６ａがチョークレバー５の曲折係合片５ａを押圧し、チョークレバー５がチョーク弁３の全開位置に向けて弾発付勢されるようになっている。チョークレバー５は上記弾発付勢力に抗して図示されないストッパによりチョーク弁３の全開位置で保持される。
【０００６】
また、ファーストアイドルレバー６には半径方向外向きに延出するアーム部６ｂが設けられ、スロットルレバー７にはスロットル弁４の全閉状態でファーストアイドルレバー６側に延出するように形成された係合片７ａが一体に設けられている。なお、スロットルレバー７は図示されない戻しばねにより図の矢印Ｂに示される向きであるスロットル弁４の全閉側に向けて弾発付勢されている。
【０００７】
冷間始動時にはチョークレバー５を戻しばね８の弾発付勢力に抗する向きに回動させて図４に示される全開状態のチョーク弁３を図５に示されるように全閉状態にする。上記したようにチョークレバー５の曲折部５ａに対して常にファーストアイドルレバー６の曲折係合部６ａが弾発付勢力により当接していることから、チョークレバー５の上記回動によりファーストアイドルレバー６も同方向に回動する。チョークレバー５をチョーク弁３の全閉側に回動させると、上記アーム部６ｂの回動遊端部が係合片７ａに衝当し、チョークレバー５の回動に伴ってアーム部６ｂにより係合片７ａが押され、スロットルレバー７が回動してスロットル弁４が開弁する。
【０００８】
この時、アーム部６ｂの図において直線状をなす縁部により係合片７ａの延出端部がガイドされ、ファーストアイドルレバー６の回動に応じてスロットルレバー７が回動する。このスロットル弁４の開弁量はファーストアイドル開度であり、所定の開度にする必要がある。上記構造のものにあっては、チョーク弁３の全閉位置でファーストアイドルレバー６が保持されるようになっている。その保持状態で、スロットルレバー７の係合片７ａの延出端部の角を係合保持し得るようにＬ字形をなす係合凹部６ｃがファーストアイドルレバー６の遊端部に設けられている。
【０００９】
チョーク弁３の全閉状態に対応する位置にファーストアイドルレバー６が達すると、係合片７ａの延出端部がアーム部６ｂの最延出端を乗り越えて図５に示されるように係合凹部６ｃに落ち込む。その後、チョークレバー５の回動操作力を解除することにより、戻しばね８の弾発付勢力によりファーストアイドルレバー６が上記とは逆方向に回動し始めようとすると共にその状態では係合凹部６ｃと係合片７ａとは互いに食い込むように係合し得る位置関係にされているため、その係合状態でファーストアイドルレバー６及びスロットルレバー７が位置決めされる。
【００１０】
【特許文献１】特開２００３−６５１５８号公報
【特許文献２】ＵＳ６０００６８３号公報
【発明の開示】
【発明が解決しようとする課題】
【００１１】
しかしながら、上記構造のものにあっては、ファーストアイドル時のスロットル弁４の開度は、ファーストアイドルレバー６とスロットルレバー７との係合状態における両者の位置関係により決まる。一方、各部品がそれぞれの公差に入っていても部品の取り付けられた状態では各構成部品間にばらつきが生じる場合がある。
【００１２】
そのばらつきにより、チョーク弁３の全閉位置を基準とした場合に、ファーストアイドル時のスロットル弁開度を基準としてスロットルレバー７の回動角度を決めた状態で、図６に示されるように係合凹部６ｃの回動戻し方向に臨む係合面と係合片７ａとの間に隙間ｔが生じてしまうと、その隙間ｔの分だけチョーク弁３が開弁方向に回動してチョーク弁３が全閉状態にならない（図の想像線）、という問題が生じる。
【００１３】
また、同様にチョーク弁３の全閉位置を基準とした場合に、図７に示されるように、係合片７ａの延出端部がアーム部６ｂの最延出端を乗り越える手前でファーストアイドルレバー６の回動が止まってしまった場合には、係合片７ａの延出端部が係合凹部６ｃに係合することができず、ファーストアイドルレバー６に作用する弾発付勢力により矢印Ａに示されるようにチョーク弁３が全開位置まで戻ってしまうという問題が生じる。
【００１４】
上記問題を解決するために、上記特許文献１のものでは、チョークレバーに切り込みを入れた調整用屈曲片を設け、マイナスドライバなどで切り込みを押し開いて調整用屈曲片を変形させて上記ずれを無くすようにしている。しかしながら、調整用屈曲片を設けることにより構造が複雑化し、また調整作業が必要となってコストアップの要因となっていた。また、上記特許文献２のものでは、ファーストアイドルレバーに鋸歯状突起を設け、スロットルレバーが係合し得る位置を細かく設定できるようにして、調整を簡単に行えるようにしている。しかしながら構成部品のばらつきは存在するため、チョーク弁の全閉位置に対応するスロットルレバーの係合位置が鋸歯状突起の係合位置（谷）からずれる場合もあり、そのような場合にはずれた位置の谷に係合することになり、そのずれによりチョーク弁が全閉状態から開いた状態に保持されてしまう。それにより低温時の期間の始動性が悪化するという問題があった。
【課題を解決するための手段】
【００１５】
このような課題を解決して、低温始動時にチョーク弁を確実に全閉状態にし得ると共に簡単な構成により低コスト化し得ることを実現するために本発明に於いては、チョーク弁とスロットル弁とを有する気化器の始動装置において、前記チョーク弁のチョーク弁軸には、チョークレバーが同軸的に固着されていると共に、前記チョーク弁の閉弁方向の回動に対して当該チョークレバーと当接し得るようにファーストアイドルレバーが同軸的に遊嵌され、前記スロットル弁のスロットル弁軸にはスロットルレバーが同軸的に固着され、前記ファーストアイドルレバーを前記チョーク弁の開弁方向に弾発付勢するチョーク弁開弁用ばねが設けられ、前記ファーストアイドルレバーと前記スロットルレバーとの間に、前記チョーク弁の全開位置から全閉位置に至る閉弁動作に伴う前記ファーストアイドルレバーの回動運動により前記スロットルレバーを全閉位置から開弁させるカム手段を設けると共に、前記カム手段が、少なくとも前記チョーク弁が全閉状態になった時に前記チョーク弁開弁用ばねによる前記ファーストアイドルレバーの前記チョーク弁の開弁側への回動を阻止するカムプロフィールを有するものとした。
【００１６】
特に、前記カム手段が、前記スロットルレバーに設けられたカム従動部と、前記チョーク弁の全開位置側での閉弁方向への動作に伴う前記ファーストアイドルレバーの回動運動では前記スロットル弁を開弁させるべく前記カム従動部が摺接するように前記ファーストアイドルレバーに設けられた第１のカム面と、前記チョーク弁が全閉位置に達した状態では前記ファーストアイドルレバーの前記チョーク弁の開弁側への回動を阻止すると共に前記スロットル弁を開弁状態に保持するべく前記カム従動部が当接するように前記ファーストアイドルレバーに設けられた第２のカム面とからなると良い。また、前記カム従動部が、前記スロットルレバーに半径方向外向きに延出形成された係合片の延出端部からなり、前記第１のカム面と前記第２のカム面とが、前記ファーストアイドルレバーに半径方向外向きに突出形成された三角形状の二辺からなると良い。
【発明の効果】
【００１７】
このように本発明によれば、チョーク弁の全閉方向への回動に連動して回動するファーストアイドルレバーとスロットルレバーとの間にカム手段を設け、そのカム手段が少なくともチョーク弁が全閉状態になった時にチョーク弁開弁用ばねによるファーストアイドルレバーのチョーク弁の開弁側への回動を阻止するカムプロフィールを有することから、チョーク弁の全閉状態が確実に保持される。カムによる保持のため、凹部を用いた係合のように位置がずれてチョーク弁が全閉状態から開いてしまうことが無いと共に、カムにおける当接位置は無段階になるため、組み付け誤差などによりチョーク弁の全閉状態における当接位置がずれてもその位置でチョーク部の全閉状態が確保される。これにより、ファーストアイドル時のチョーク弁の全閉状態を簡単な構成で容易に確保することができ、気化器の構造を低コストで達成し得る。
【００１８】
特に、カム手段が、スロットルレバーに設けられたカム従動部と、ファーストアイドルレバーに設けられた第１及び第２のカム面により構成され、第１のカム面によりチョーク弁の全開位置側での閉弁方向への動作でスロットル弁を開弁させ、第２のカム面によりチョーク弁の全閉状態を保持することにより、簡単なカム形状でファーストアイドル運転時のチョーク弁及びスロットル弁の開閉を実現し得る。また、第１及び第２のカム面をファーストアイドルレバーに設けた半径方向外向きの三角形状の二辺により形成することができ、簡単な構成でファーストアイドル時に好適なカム手段を実現し得る。
【発明を実施するための最良の形態】
【００１９】
以下、本発明の実施の形態を、図面を参照しながら説明する。図１は本発明が適用された内燃機関の気化器を示す側面図である。なお、図１は背景技術で示した図４に対応するものであり、背景技術の図示例と同様の部分には同一の符号を付してその詳しい説明を省略する。
【００２０】
図に示されるように、気化器本体１の内部に吸気路２が設けられ、その吸気路２に上流側からチョーク弁３及びスロットル弁４が配設され、チョーク弁軸３ａ及びスロットル弁軸４ａの各軸線方向端部が気化器本体１の同一側面側に突出し、チョーク弁軸３ａの突出端部にチョークレバー５が固着されていると共にファーストアイドルレバー６が回動自在に設けられ、スロットル弁軸４ａの突出端部にスロットルレバー７が固着されていることは、背景技術で述べた気化器の構成と同様である。なお、各レバー５・６・７は板材から形成されている。
【００２１】
また、チョークレバー５に曲折係合舌片５ａが設けられ、ファーストアイドルレバー６に曲折係合舌片６ａが設けられていると共に、ファーストアイドルレバー６がチョーク弁開弁用ばねとしての戻しばね８により矢印Ａにより示されるチョーク弁３の全開側に回動する向きに弾発付勢され、両曲折係合舌片５ａ・６ａ同士が互いに当接して、戻しばね８によりチョーク弁３が全開位置に至るまで弾発付勢されるようになっている。そして、スロットルレバー７がスロットル弁４の全閉位置に至るまで図示されない戻しばねにより矢印Ｂにより示される向きに弾発付勢されていると共に、スロットルレバー７にスロットル弁４の全閉状態でファーストアイドルレバー６側に延出された係合片７ａが設けられていることも、背景技術で述べた気化器の構成と同様である。
【００２２】
本発明に基づく気化器にあっては、図１に示されるように、ファーストアイドルレバー６にはチョーク弁３の全閉状態でスロットルレバー７側に向けて半径方向外向きに突出するように形成された三角形状の突状アーム部１１が設けられている。この突状アーム部１１と上記係合片７ａとによりカム手段が構成されている。突状アーム部１１の外形線によりカムプロフィールが形成されている。図示例では、突状アーム部１１の三角形の一辺となる上記チョーク弁３の全閉側回転方向に位置する縁部により第１のカム面１１ａが形成され、突状アーム部１１の頂点１１ｂを挟んで三角形の他の一辺となるチョーク弁３の全開側回転方向に位置する縁部により第２のカム面１１ｃが形成されている。
【００２３】
また、係合片７ａは、カム従動部として延出方向に長い矩形状に形成されており、チョーク弁３の全開及びスロットル弁４の全閉状態でその延出方向端部の角部７ｂが第１のカム面１１ａに延出方向端部を臨むようになっている（図１参照）。図３のチョーク弁３の全閉及びスロットル弁４の開弁状態では、第２のカム面１１ｃと係合片７ａの角部７ｂとが互いに対向するように位置する。
【００２４】
なお、第１のカム面１１ａ及び第２のカム面１１ｃの各面幅は突状アーム部１１すなわちファーストアイドルレバー６の厚さによるものであって良い。また、係合片７ａの延出端部にあっては、ファーストアイドルレバー６とスロットルレバー７との軸線方向の組み付け精度による高さ違いを吸収するために折り曲げられており、多少の部品加工や組立誤差が生じても、角部７ｂが突状アーム部１１の各カム面１１ａ・１１ｃに確実に当接し得るようにされている。
【００２５】
このように構成された本気化器において、冷間始動時にチョーク弁３を全閉状態にすると共にスロットル弁４をファーストアイドル開度にするには、背景技術で述べたように、図示されない操作レバーによりチョークレバー５を戻りばね８の弾発付勢力に抗してチョーク弁３の全閉側に回動させる。
【００２６】
その回動により、図２に示されるように、第１のカム面１１ａがスロットルレバー７の角部７ｂと当接し、さらにチョークレバー５の回動に伴ってファーストアイドルレバー６が回動すると、第１のカム面１１ａ上を頂点１１ｂに至るまで角部７ｂが摺接状態で移動する。スロットルレバー７は、上記第１のカム面１１ａに対する角部７ｂによる摺接状態では、ファーストアイドルレバー６の回動に応じてスロットル弁４を開弁させる方向に回動する。
【００２７】
スロットルレバー７の角部７ｂの摺接位置は、チョーク弁３の全閉側への移動に伴うファーストアイドルレバー６の回動により、ファーストアイドルレバー６の頂点１１ｂに至り、その頂点１１ｂを乗り越えるとカム面１１ｃに移る。なお、チョーク弁３が全閉位置に達する前に角部７ｂの摺接位置がカム面１１ｃに移るように、突状アーム部１１の各カム面１１ａ・１１ｃとスロットルレバー７の角部７ｂとの位置関係が設定されている。
【００２８】
図３に示される第２のカム面１１ｃと角部７ｂとの当接状態にあっては、ファーストアイドルレバー６のチョーク弁全閉方向への回動において第２のカム面１１ｃがスロットルレバー７の角部７ｂから逃げる方向に変位し、スロットルレバー７のスロットル弁全閉方向への回動において角部７ｂが第２のカム面１１ｃに接近する方向に変位するようになっている。また、スロットルレバー７が閉弁方向に弾発付勢されていると共に、第２のカム面１１ｃが直線状であることから第２のカム面１１ｃは連続する平坦面となり、第２のカム面１１ｃと角部７ｂとの当接状態にあっては、ファーストアイドルレバー６のチョーク弁全閉方向への回動において第２のカム面１１ｃ上を角部７ｂが摺接しながら変位する。
【００２９】
これにより、ファーストアイドルレバー６の任意の回動角度における第２のカム面１１ｃに対して角部７ｂは無段階に当接し得る。したがって、チョーク弁３が全閉位置に達した後にその閉方向操作力を解除すると、戻しばね８のばね力によりファーストアイドルレバー６が戻る向きに回動しようとするが、上記第２のカム面１１ｃと角部７ｂとの当接状態によりファーストアイドルレバー６の戻りが阻止される。その当接状態は上記したように無段階に位置決めされるため、チョーク弁３は常に全閉状態になり、ファーストアイドル運転時のチョーク弁３の全閉状態を確実に実現し得る。
【００３０】
上記状態を実現するために図示例では、ファーストアイドルレバー６とスロットルレバー７とが互いに相反する回転方向に回動するように弾発付勢されていることから、第２のカム面１１ｃと角部７ｂとの当接位置を、両レバー６・７の回動に伴って第２のカム面１１ｃと角部７ｂとが互いに衝当する所に設定している。また、第２のカム面１１ｃが平滑に連続する形状としたことにより、ファーストアイドルレバー６のチョーク弁全閉方向回動側へ第２のカム面１１ｃが変位しても角部７ｂが第２のカム面１１ｃとの当接状態を確保しつつ追従（摺接）することができ、かつその当接位置が無段階に変位し得る。
【００３１】
そして、ファーストアイドルレバー６がチョーク弁３の全閉方向へ回動するに連れて当接位置のファーストアイドルレバー６側の回動半径が減少することから、角部７ｂの第２のカム面１１ｃに対する当接位置が頂点１１ｂから遠ざかることになり、第２のカム面１１ｃに対して角部７ｂがより一層食い込むように当接する。したがって、チョーク弁３の全閉位置でその全閉方向操作力を解除してもファーストアイドルレバー６は係合片７ａにより回り止めされた状態になり、チョーク弁３が常に全閉状態に保持される。
【００３２】
なお、ファーストアイドル運転時にはチョーク弁３が全閉状態になっていることが重要であり（混合気は図示されない所定の孔径のバイパス通路を通る）、それに対してスロットル弁４は適度に開弁していれば良く、スロットル弁４の開度は高精度に設定されていなくて良い。したがって、部品加工や組み付け誤差が生じていた場合のチョーク弁３の全閉状態に対するスロットル弁４の開弁量は問題にならず、むしろスロットル弁４の開弁量で上記誤差を吸収することができる。
【００３３】
図示例では、係合片７ａのスロットル弁開弁方向への回転領域（図の想像線に示される円弧の半径方向内側部分）に対して第２のカム面１１ｃの延長線（図の想像線に示される直線）が干渉しないようにされている。これにより、ファーストアイドル運転後にスロットル弁４を開弁操作する際に第２のカム面１１ｃから角部７ｂが容易に離脱し得るため、そのスロットル弁４の操作に第２のカム面１１ｃが邪魔することがない。スロットル弁４の開弁時に突状アーム部１１の頂点１１ｂの回転軌跡からその半径方向外側に角部７ｂが出ることにより、ファーストアイドルレバー６が戻しばね８により初期位置に戻されるため、チョーク弁３が全開状態に戻り、通常運転状態になる。
【００３４】
なお、図示例では各カム面１１ａ・１１ｃが直線状に形成されているが、直線状に限られるものではなく、湾曲していても良い。いずれにしても凹凸の無い連続する面により形成されていることにより、当接位置を無段階にすることができる。
【図面の簡単な説明】
【００３５】
【図１】本発明が適用された内燃機関の気化器を示す要部側面図である。
【図２】ファーストアイドル時におけるスロットル弁の開弁状態を示す図１に対応する図である。
【図３】ファーストアイドル状態を示す図１に対応する図である。
【図４】従来の気化器を示す要部側面図である。
【図５】ファーストアイドル状態を示す図４に対応する図である。
【図６】チョーク弁の全閉状態でファーストアイドルレバーとスロットルレバーとの間に隙間が生じた状態を示す図４に対応する部分図である。
【図７】チョーク弁の全閉状態でファーストアイドルレバーにスロットルレバーが乗り上げた状態を示す図４に対応する部分図である。
【符号の説明】
【００３６】
１  気化器本体
３  チョーク弁
４  スロットル弁
５  チョークレバー
６  ファーストアイドルレバー
７  スロットルレバー、７ａ  係合片
８  戻しばね
１１  突状アーム部
１１ａ  第１のカム面、１１ｂ  頂点、１１ｃ  第２のカム面
【図１】
2006077706.tif 000003
【図２】
2006077706.tif 000004
【図３】
2006077706.tif 000005
【図４】
2006077706.tif 000006
【図５】
2006077706.tif 000007
【図６】
2006077706.tif 000008
【図７】
2006077706.tif 000009